(57)【要約】【課題】本発明は、ガス検知器の表示部において表示が点滅表示されている場合であっても、点滅表示されている表示を認識することができる画像を保存することが可能なガス検知器を提供することを目的とする。【解決手段】本発明のガス検知器は、環境雰囲気に含まれる検知対象ガスを検知するために用いられるガス検知器１であって、検知対象ガスを検知する検知部２と、少なくとも一部の表示が点滅表示する表示部３と、検知部２により検知される情報に基づいて、検知対象ガスに関する情報を表示部３に表示させる制御部４と、点滅表示に関する情報を記憶する記憶部５とを備え、制御部４は、画像データ作成指示を受け付けると、記憶部５から点滅表示に関する情報を読み取り、点滅表示が表示された状態の画像データを作成するように構成されることを特徴とする。【選択図】図２
2020165890.tif 000002
【特許請求の範囲】
【請求項１】
環境雰囲気に含まれる検知対象ガスを検知するために用いられるガス検知器であって、
前記ガス検知器が、
検知対象ガスを検知する検知部と、
少なくとも一部の表示が点滅表示する表示部と、
前記検知部により検知される情報に基づいて、前記検知対象ガスに関する情報を前記表示部に表示させる制御部と、
前記点滅表示に関する情報を記憶する記憶部とを備え、
前記制御部は、画像データ作成指示を受け付けると、前記記憶部から前記点滅表示に関する情報を読み取り、前記点滅表示が表示された状態の画像データを作成するように構成される、
ガス検知器。
【請求項２】
前記点滅表示に関する情報が、前記検知対象ガスの検知結果に関する情報である、
請求項１に記載のガス検知器。
【発明の詳細な説明】
【技術分野】
【０００１】
本発明は、ガス検知器に関する。
【背景技術】
【０００２】
環境雰囲気に含まれる検知対象ガスを検知するために、たとえば特許文献１に開示されるガス検知器が用いられる。特許文献１のガス検知器は、検知した検知対象ガスの濃度に関する情報を含む表示を表示する表示部を備えている。
【先行技術文献】
【特許文献】
【０００３】
【特許文献１】特開２００５−１０６５２１号公報
【発明の概要】
【発明が解決しようとする課題】
【０００４】
使用者は、特許文献１に開示されるようなガス検知器を用いて検知対象ガスを検知する際に、検知対象ガスを検知したその時点で表示部に表示されている表示を保存しておく必要がある場合がある。そのような場合、使用者は、たとえば、カメラを用いて表示部を撮影することにより、表示部に表示されている表示を画像として保存している。しかし、カメラを用いて画像を保存する場合、カメラのフラッシュの光が表示部の画面で反射するので、含まれる情報を正確に確認できる程度に画像をきれいに保存することが難しい。さらに、爆発性雰囲気などで検知対象ガスを検知するような場合は、ガス検知器のみならず、カメラも一定の基準を満たした防爆構造を備える必要があるため、トータルの検知コストが高くなってしまう。
【０００５】
ガス検知器内で表示部に表示された表示を保存する方法として、一般的なスクリーンショット機能を利用して、検知したその時点での表示を画像として保存することも考えられる。特許文献１のガス検知器では、測定濃度数値に関する情報を含む１種類の表示が表示されるのみであり、同じ表示が連続して表示されるので、一般的なスクリーンショット機能を利用すれば、検知したその時点での情報を含む表示を画像として保存することができる。ところが、表示画面内に点滅する表示があるような場合には、表示が消灯しているタイミングでスクリーンショット機能を作動しても、その表示が表示されていない画像が保存されるだけになってしまうので、タイミングが合うまで何度もスクリーンショット機能を作動させる必要がある。したがって、保存後に保存された画像を見ても、検知したその時点での情報を認識することができない。
【０００６】
本発明は、上記問題に鑑みなされたもので、ガス検知器の表示部において表示が点滅表示されている場合であっても、点滅表示されている表示を認識することができる画像を保存することが可能なガス検知器を提供することを目的とする。
【課題を解決するための手段】
【０００７】
本発明のガス検知器は、環境雰囲気に含まれる検知対象ガスを検知するために用いられるガス検知器であって、前記ガス検知器が、検知対象ガスを検知する検知部と、少なくとも一部の表示が点滅表示する表示部と、前記検知部により検知される情報に基づいて、前記検知対象ガスに関する情報を前記表示部に表示させる制御部と、前記点滅表示に関する情報を記憶する記憶部とを備え、前記制御部は、画像データ作成指示を受け付けると、前記記憶部から前記点滅表示に関する情報を読み取り、前記点滅表示が表示された状態の画像データを作成するように構成されることを特徴とする。
【０００８】
また、前記点滅表示に関する情報が、前記検知対象ガスの検知結果に関する情報であることが好ましい。
【発明の効果】
【０００９】
本発明によれば、ガス検知器の表示部において表示が点滅表示されている場合であっても、点滅表示されている表示を認識することができる画像を保存することが可能なガス検知器を提供することができる。
【図面の簡単な説明】
【００１０】
【図１】本発明の一実施形態に係るガス検知器の例示的な外観を示す外観概略図である。
【図２】本発明の一実施形態に係るガス検知器の例示的な構成を示すブロック図である。
【図３】本発明の一実施形態に係るガス検知器の検知部の例示的な構成を示す概略図である。
【図４】本発明の第１実施形態に係るガス検知器の表示部に表示される、検知対象ガスに関する情報を含む例示的な表示を示す図である。
【図５】本発明の第１実施形態に係るガス検知器の表示部に表示される、検知対象ガスに関する情報を含む例示的な表示を示す図である。
【図６】本発明の第１実施形態に係るガス検知器の制御部により作成される例示的な画像データを示す図である。
【図７】本発明の第１実施形態に係るガス検知器の制御部により作成される例示的な画像データを示す図である。
【図８】本発明の第２実施形態に係るガス検知器の表示部に表示される、検知対象ガスに関する情報を含む例示的な表示を示す図であり、（ａ）は、所定の測定期間内における検知対象ガスの濃度の平均値を含む表示を示し、（ｂ）は、所定の測定期間内における検知対象ガスの濃度の最大値を含む表示を示している。
【図９】本発明の第２実施形態に係るガス検知器において、検知対象ガスに関する情報を含む表示を切り替えて表示部に表示させるための処理の例示的な時間経過を示す図である。
【図１０】本発明の第２実施形態に係るガス検知器の制御部により作成される例示的な画像データを示す図である。
【発明を実施するための形態】
【００１１】
以下、添付図面を参照して、本発明の一実施形態に係るガス検知器を説明する。ただし、以下に示す実施形態は一例であり、本発明のガス検知器は、以下の例に限定されることはない。
【００１２】
本実施形態のガス検知器は、たとえば大気などの環境雰囲気に含まれる検知対象ガスを検知するために用いられる。検知対象ガスは、環境雰囲気において検知対象となるガスであり、特に限定されることはなく、都市ガス（１３Ａ）、メタンガス、ＬＰＧや、水素、ブタン、一酸化炭素、酢酸、エタノール、ガソリンなどのガスが例示される。以下では、本実施形態のガス検知器を、環境雰囲気に含まれる検知対象ガスの種類を識別し、検知対象ガスの濃度を測定することが可能なガス種識別機能付きガス検知器として説明する。しかし、本発明のガス検知器は、環境雰囲気に含まれる検知対象ガスを検知する用途に用いることができればよく、以下の例に限定されることはない。
【００１３】
図１は、本実施形態のガス検知器１の例示的な外観を示す外観概略図であり、図２は、本実施形態のガス検知器１の例示的な構成を示すブロック図である。ガス検知器１は、たとえば、図１に示されるように、ガス検知器１内に環境雰囲気ガスを導くためのガス導管Ｌが取り付けられ、ガス導管Ｌによりガス検知器１内に導かれた環境雰囲気ガスに含まれる検知対象ガスを検知する。ガス検知器１は、図２に示されるように、検知部２、表示部３、制御部４および記憶部５を備えている。ガス検知器１はさらに、制御部４に対する指示を入力するための入力部６や、検知部２、表示部３、制御部４および記憶部５に電力を供給する電源部（図１に、電源スイッチＳだけが示されている）を備えていてもよい。ガス検知器１は、本実施形態では、検知部２、表示部３、制御部４、記憶部５、入力部６および電源部が１つの装置に組み込まれて構成されているが、それぞれが独立した装置として構成されていてもよい。
【００１４】
検知部２は、環境雰囲気に含まれる検知対象ガスを検知する。検知部２は、検知対象ガスを検知して、検知対象ガスに関する出力結果を出力するように構成される。検知対象ガスに関する出力結果から、たとえば、検知対象ガスの混合割合を示す検知結果や、検知対象ガスの量を示す検知結果などの、検知対象ガスに関する検知結果が得られる。検知対象ガスに関する検知結果は、検知部２から出力される出力結果そのものであってもよいし、出力結果から算出される算出結果であってもよい。検知対象ガスに関する検知結果は、制御部４において算出されてもよいし、検知部２内で算出されて出力結果として出力されてもよい。検知部２は、図２に示されるように、制御部４に通信可能に接続され、出力される出力結果は、制御部４に送られる。
【００１５】
検知部２は、検知対象ガスを検知して、検知対象ガスに関する出力結果を出力することができればよく、その構成は特に限定されない。本実施形態では、検知部２は、検知対象ガスの種類を判定し、濃度を算出するための基礎となる出力結果を出力するように構成される。図３は、検知部２の例示的な構成を示す概略図である。検知部２は、図３に示されるように、互いに検知対象ガスに対する検知感度の異なる第１のガス検知素子２１および第２のガス検知素子２２を備えている。第１および第２のガス検知素子２１、２２は、たとえば、互いに異なる動作条件で動作する同じガス検知素子であってもよいし、互いに同じ動作条件で動作する異なるガス検知素子であってもよい。同じまたは異なるガス検知素子としては、特に限定されることはなく、接触燃焼式ガス検知素子などの公知のガス検知素子を用いることができる。第１および第２のガス検知素子２１、２２は、たとえば公知のホイートストンブリッジ回路に組み込まれ、検知対象ガスを検知したときに回路で測定される測定値を、検知対象ガスに関する出力結果として出力する。
【００１６】
検知部２は、吸引ポンプＰによりガス導管Ｌを介して吸引された環境雰囲気ガスに対して検知動作を行ない、第１のガス検知素子２１により得られる第１の出力結果と、第２のガス検知素子２２により得られる第２の出力結果とを出力する。出力された第１および第２の出力結果は、制御部４に送られ、制御部４において、第１の出力結果と第２の出力結果との比が検知対象ガスの混合割合を示す検知結果として、また、第１の出力結果が検知対象ガスの量を示す検知結果として処理される。そして、検知対象ガスの混合割合を示す検知結果および検知対象ガスの量を示す検知結果に基づいて検知対象ガスの種類が判定され、検知対象ガスの量を示す検知結果に基づいて検知対象ガスの濃度が算出される。
【００１７】
表示部３は、検知対象ガスに関する情報を含む表示が表示される。検知対象ガスに関する情報には、検知部２により出力される検知対象ガスに関する出力結果から得られる情報が含まれる。検知対象ガスに関する情報としては、たとえば、検知対象ガスの濃度に関する情報や、検知対象ガスの種類に関する情報などが例示される。検知対象ガスの濃度に関する情報としては、たとえば、特定の時点で測定された検知対象ガスの濃度や、所定の測定期間内における検知対象ガスの濃度の平均値、所定の測定期間内における検知対象ガスの濃度の最大値などが例示される。また、検知対象ガスの種類に関する情報としては、検知対象ガスの種類だけでなく、検知対象ガスの種類が判定不能であるとの情報などが例示される。検知対象ガスに関する情報を含む表示には、少なくとも１つの検知対象ガスに関する情報が含まれていればよく、検知対象ガスに関する複数の情報が含まれていてもよいし、検知対象ガスとは関係のない情報が含まれていてもよい。また、検知対象ガスに関する情報は、表示部３の全体の領域に表示されてもよいし、表示部３の一部の領域に表示されてもよい。また、検知対象ガスに関する情報を含む表示は、表示部３の全体の領域を占める表示であってもよいし、表示部３の一部の領域を占める表示であってもよい。
【００１８】
表示部３は、図２に示されるように、制御部４に通信可能に接続され、制御部４の制御により、検知対象ガスに関する情報を含む表示が表示される。表示部３は、検知対象ガスに関する情報を含む表示を表示することができればよく、その構成は特に限定されない。表示部３は、本実施形態では、図１に示されるように、検知対象ガスの濃度に関する情報を含む表示が表示される濃度情報表示領域３１と、検知対象ガスの種類に関する情報を含む表示が表示される種類情報表示領域３２とを備えている。濃度情報表示領域３１には、たとえば、図８に示されるように、検知対象ガスの濃度の平均値（図８（ａ））や最大値（図８（ｂ））が表示される。種類情報表示領域３２には、たとえば、図８に示されるように、検知対象ガスの種類（「Ａ」、「Ｂ」、「Ｃ」、「Ｄ」）のいずれか（図示された例では「Ａ」）が表示され、図５に示されるように、検知対象ガスの種類が判定不能であるという情報が点滅表示（図示された例では「Ａ」、「Ｂ」、「Ｃ」、「Ｄ」のすべての点滅表示）で表示される。また、表示部３は、図４に示されるように、検知対象ガスの検知が完了した時点で、検知対象ガスの濃度に関する情報（たとえば検知対象ガスの濃度の平均値）を含む表示が点滅表示されてもよいし、判定された検知対象ガスの種類に関する表示（たとえば「Ａ」などの判定されたガス種名）が点滅表示されてもよい。表示部３は、検知対象ガスに関する情報を含む表示が表示されればよく、１つの情報を含む表示が表示される１つの表示領域や、３つ以上の情報をそれぞれ含む表示がそれぞれ表示される３つ以上の表示領域を備えていてもよく、また、検知対象ガスとは関係のない情報を含む表示が表示される表示領域を備えていてもよい。表示部３としては、特に限定されることはなく、公知の液晶ディスプレイなどを用いることができる。
【００１９】
制御部４は、検知部２により検知される情報に基づいて、検知対象ガスに関する情報を表示部３に表示させる。検知部２により検知される情報には、たとえば、検知部２で出力される検知対象ガスに関する出力結果や、その出力結果に基づいて得られる検知結果などが含まれる。また、検知対象ガスに関する情報としては、たとえば、上述したように、検知対象ガスの濃度に関する情報や、検知対象ガスの種類に関する情報などが例示される。制御部４はさらに、後述するように、画像データ作成指示を受け取ると、記憶部５に記憶される情報を読み取り、記憶部５から読み取った情報を含む画像データを作成するように構成される。なお、「画像データ」とは、時間の経過に伴って変化しない画像データのことを意味し、時間の経過に伴って変化する映像とは異なる概念である。
【００２０】
制御部４は、本実施形態では、図２に示されるように、検知部２、表示部３、記憶部５および入力部６に通信可能に接続される。制御部４は、検知部２、表示部３、記憶部５および入力部６に通信可能に接続されて、以下で説明する機能を有するように構成される。しかし、制御部４は、検知対象ガスに関する情報を表示部３に表示させ、記憶部５から読み取った情報を含む画像データを作成することができればよく、その構成は、以下の説明に限定されることはない。たとえば、以下で説明する機能の一部は、ガス検知器１とは別に設けられた計算装置によって実行されてもよい。制御部４は、たとえば公知の中央演算処理装置（ＣＰＵ）などを用いて構成することができる。
【００２１】
制御部４は、検知部２に通信可能に接続されて、検知部２により検知される情報を受け取り、その情報から検知対象ガスに関する情報を生成する。たとえば、制御部４は、検知部２で出力される第１の出力結果と第２の出力結果との比を検知対象ガスの混合割合を示す検知結果として、また、検知部２で出力される第１の出力結果を検知対象ガスの量を示す検知結果として処理する。そして、制御部４は、検知対象ガスの混合割合を示す検知結果および検知対象ガスの量を示す検知結果に基づいて検知対象ガスの種類を判定し、検知対象ガスの量を示す検知結果に基づいて検知対象ガスの濃度を算出する。制御部４はさらに、検知対象ガスに関する検知結果が所定の条件を満たさない場合に検知対象ガスの種類の判定が不能であると判定することもできるし、また、所定の測定期間内における検知対象ガスの濃度の平均値や最高値を算出することもできる。
【００２２】
制御部４は、表示部３に通信可能に接続されて、検知対象ガスに関する情報を表示部３に送り、検知対象ガスに関する情報を表示部３において表示させる。たとえば、制御部４は、図１に示されるように、表示部３の濃度情報表示領域３１に、検知対象ガスの濃度に関する情報を表示させ、表示部３の種類情報表示領域３２に、検知対象ガスの種類に関する情報を表示させる。
【００２３】
制御部４は、記憶部５に通信可能に接続されて、表示部３に表示される表示に関する情報を記憶部５に記憶させ、記憶部５に記憶された、表示部３に表示される表示に関する情報を読み取る。表示部３に表示される表示に関する情報としては、たとえば、検知対象ガスに関する情報や、検知対象ガスに関する情報を含む表示そのものなどが例示される。たとえば、制御部４は、検知対象ガスの種類および濃度に関する情報を記憶部５に記憶させ、記憶部５に記憶された検知対象ガスの種類および濃度に関する情報を読み取る。制御部４はさらに、検知対象ガスに関する情報を含む表示（表示内容を示すデータ）を記憶部５に記憶させ、記憶部５に記憶された検知対象ガスに関する情報を含む表示を読み取ることもできる。
【００２４】
制御部４は、入力部６に通信可能に接続されて、入力部６からの指示を受け取り、受け取った指示に対応する動作を実行する。たとえば、制御部４は、上述し、以下で詳述するように、入力部６から画像データ作成指示を受け取ると、記憶部５から検知対象ガスに関する情報を読み取り、検知対象ガスに関する情報を含む画像データを作成する。
【００２５】
記憶部５は、表示部３に表示される表示に関する情報を記憶する。表示部３に表示される表示に関する情報としては、たとえば、上述した検知対象ガスに関する情報や、検知対象ガスに関する情報を含む表示（表示内容を示すデータ）、点滅表示に関する情報などが例示される。また、記憶部５は、任意で、制御部４により作成される画像データや、本明細書に記載される制御部４の機能を実行可能なプログラムを記憶するように構成されてもよい。記憶部５は、少なくとも表示部３に表示される表示関する情報を記憶することができれば、特に限定されることはなく、ＲＡＭなどの公知の揮発性メモリや、ハードディスク、フラッシュメモリなどの公知の不揮発性メモリにより構成することができる。たとえば、揮発性メモリには、表示部３に表示される表示に関する情報が記憶され、不揮発性メモリには、制御部４により作成される画像データやプログラムが記憶され得る。
【００２６】
入力部６は、制御部４に対する指示が入力される。入力部６は、制御部４に通信可能に接続され、入力された指示が制御部４に送られるように構成される。制御部４に対する指示には、画像データ作成指示などが含まれる。入力部６は、たとえば、ボタン、キーボード、マウスなど公知の入力手段により構成することができる。入力部６は、本実施形態では、図１に示されるように、画像データ作成ボタン６ａ、メニュー呼び出しボタン６ｂ、確定ボタン６ｃ、メニュー選択ボタン６ｄを備えている。なお、制御部４に対する指示は、たとえば携帯通信機器など、ガス検知器１以外の機器から送られてもよい。
【００２７】
つぎに、２つの実施形態を例に挙げて、ガス検知器１のさらなる詳細な構成について説明する。以下の２つの実施形態は、それぞれ単独で実施することもできるし、互いに組み合わせて実施することもできる。ただし、本発明のガス検知器は、以下の実施形態に限定されることはない。
【００２８】
＜第１実施形態＞
ガス検知器１の制御部４は、上述したように、検知対象ガスに関する情報を表示部３に表示させる。図４および図５は、表示部３に表示される、検知対象ガスに関する情報を含む例示的な表示を示す図である。表示部３では、図４および図５に示されるように、全体表示Ｄ１の中で、少なくとも一部の表示Ｄ１１、Ｄ１２が点滅表示する。図４に示される例では、全体表示Ｄ１内の濃度情報表示領域３１における表示Ｄ１１と、種類情報表示領域３２における表示Ｄ１２とが点滅表示され、図５に示される例では、全体表示Ｄ１内の濃度情報表示領域３１における表示Ｄ１１が点灯表示され、種類情報表示領域３２における表示Ｄ１２が点滅表示されている。濃度情報表示領域３１内の表示Ｄ１１は、検知対象ガスの濃度に関する情報（図示された例では、所定の測定期間内における検知対象ガスの濃度の平均値）を含んでおり、種類情報表示領域３２内の表示Ｄ１２は、検知対象ガスの種類に関する情報（図４に示された例では、判定された検知対象ガスのガス種が「Ａ」であるという情報、図５に示された例では、検知対象ガスの種類が判定不能であるという情報）を含んでいる。図４に示される例では、表示Ｄ１１、Ｄ１２の点滅表示は、検知対象ガスの検知が正常に完了したことを示しており、図５に示される例では、表示１２の点滅表示は、検知対象ガスのすべての種類（「Ａ」、「Ｂ」、「Ｃ」、「Ｄ」）の表示を点滅表示させることで、検知対象ガスの種類が判定不能であることを示している。このとき、記憶部５は、点滅表示に関する情報を記憶している。点滅表示に関する情報は、点滅表示によって提示しようとする情報のことであるが、本実施形態では、検知対象ガスの検知結果に関する情報であり、より具体的には、検知対象ガスの濃度に関する情報や、検知対象ガスの種類に関する情報などである。
【００２９】
制御部４は、画像データ作成指示を受け付けると、記憶部５から点滅表示に関する情報を読み取り、図６および図７に示されるような、点滅表示が表示された状態の画像データＩ１、Ｉ２を作成するように構成される。つまり、ガス検知器１では、表示部３において表示Ｄ１１、Ｄ１２が点滅表示されている場合において、たとえば表示Ｄ１１、Ｄ１２が消灯状態のタイミングで画像データ作成指示を受け付けたとしても、点滅表示している表示Ｄ１１、Ｄ１２が、使用者が視認可能なように表示された状態、すなわち点灯した状態で、画像データＩ１、Ｉ２を作成することができる。したがって、本実施形態のガス検知器１によれば、ガス検知器１の表示部３において表示が点滅表示されている場合であっても、点滅表示されている表示を認識することができる画像データを作成し、保存することができる。これにより、使用者は、保存された画像から、点滅表示に関する情報をあとで確認することができる。
【００３０】
画像データＩ１、Ｉ２は、点滅表示が表示された状態で作成されていればよく、その作成方法は特に限定されることはない。たとえば、制御部４は、画像データ作成指示を受け付けた時点で表示部３に表示されている全体表示Ｄ１（画像データ作成指示を受け付けた時点で表示部に表示されている表示内容）を記憶部５から読出し、表示部３に表示されている全体表示Ｄ１を記憶部５から読み取った点滅表示に関する情報を用いて修正することにより、画像データＩ１、Ｉ２を作成するように構成されていてもよい。画像データ作成指示を受け付けた時点で表示されている全体表示Ｄ１を修正元データとして使用することにより、修正元データとしてデフォルト表示などの別の表示を記憶部５に記憶させておく必要がなく、記憶部５の記憶容量を小さくすることができる。
【００３１】
以上において、１つの表示内の１つまたは２つの表示が点滅表示される場合について説明したが、１つの表示内で複数の表示が異なるタイミングで点滅表示される場合についても、上述した方法と同様の方法で、画像データを作成し、保存することができる。また、表示が切り替えられる複数の表示内で表示が点滅する場合においても、以下で第２実施形態に関して記載される方法と組み合わせて、画像データを作成し、保存することができる。
【００３２】
＜第２実施形態＞
ガス検知器１の制御部４は、上述したように、検知対象ガスに関する情報を表示部３に表示させる。図８は、表示部３に表示される、検知対象ガスに関する情報を含む例示的な表示を示す図である。表示部３では、図８に示されるように、検知対象ガスに関する第１の情報を含む第１の表示Ｄ２（図８（ａ））と、検知対象ガスに関する第２の情報を含む第２の表示Ｄ３（図８（ｂ））とが、それぞれ別々に、切り替えられて表示される。第１および第２の表示Ｄ２、Ｄ３が互いに切り替えられて表示されることで、第１および第２の情報を続けて確認することができる。第１および第２の表示Ｄ２、Ｄ３の切り替えは、制御部４により連続的に実施されてもよいし、入力部６から受け取る指示毎に断続的に実施されてもよい。第１の表示Ｄ２と第２の表示Ｄ３は、表示部３に表示されている表示内容そのものを意味し、例えば液晶ディスプレイに表示されている、文字や数字、記号などの表示内容そのものを意味する。
【００３３】
第１および第２の情報は、検知対象ガスに関する情報であれば、特に限定されることはなく、互いに同じ情報であってもよいし、互いに異なる情報であってもよい。第１および第２の情報は、互いに異なる情報である場合、互いに関連する情報であることが好ましい。互いに関連する情報が切り替えられて表示されることにより、関連する情報を対比しやすい。互いに関連する情報は、たとえば、同じ測定期間に得られる検知対象ガスの同じ検知結果に基づいて得られる異なる情報や、同じ測定期間に得られる検知対象ガスの異なる検知結果に基づいて得られる異なる情報など、共通する条件で得られる検知対象ガスの検知結果に基づいて得られる異なる情報を含んでいる。図示された例では、第１の情報は、所定の測定期間内における検知対象ガスの濃度の平均値であり、第２の情報は、所定の測定期間内における検知対象ガスの濃度の最大値である。所定の測定期間は、ガス検知器１の電源をオンにしてから直近の測定時までの間で適宜設定されるが、たとえば、ガス検知器１の電源をオンにした後に検知部２の検知結果が安定した時から、直近の測定時点までとすることができる。本実施形態では、第１および第２の情報はそれぞれ、切り替えられて表示される第１および第２の表示Ｄ２、Ｄ３内の濃度情報表示領域３１に表示されている。また、図示された例では、第１および第２の表示Ｄ２、Ｄ３内の種類情報表示領域３２に、同じ第３の情報（検知された検知対象ガスの種類が「Ａ」であるという情報）が表示されている。
【００３４】
図９は、検知対象ガスに関する情報を含む表示を切り替えて表示部３に表示させるための処理の例示的な時間経過を示す図である。制御部４は、図９に示されるように、第１の表示Ｄ２を所定の表示期間に亘って表示部３に表示させた後に、表示の切替処理を行なって、第２の表示Ｄ３を所定の表示期間に亘って表示部３に表示させる。制御部４はさらに、第２の表示Ｄ３を表示させている所定の表示期間の間に第１および第２の情報が更新されなければ、表示の切替処理を行なって、第１の表示Ｄ２を所定の表示期間に亘って表示部３に表示させる。このように、制御部４は、第１および第２の情報が更新されるまでの間、第１の表示Ｄ２と第２の表示Ｄ３とを交互に切り替えて表示部３に表示させる。この間、検知対象ガスに関する第１の情報および第２の情報は、記憶部５に記憶される。第１および第２の情報は、たとえば、制御部４が検知部２により検知された新たな情報を受け取ると、更新される。制御部４は、検知部２により検知された新たな情報を受け取ると、記憶部５に記憶されている第１および第２の情報を新たな情報に更新して、検知対象ガスに関する新たな情報を含む表示に切り替えて表示部３に表示させる。
【００３５】
制御部４は、本実施形態では、図９に示される、第１の表示Ｄ２から第２の表示Ｄ３への切替処理において、記憶部５から読み取った第２の情報を用いて第１の表示Ｄ２を修正することにより、第２の表示Ｄ３を作成する。第１の表示Ｄ２が修正されて第２の表示Ｄ３が作成されると、第１の表示Ｄ２に替えて第２の表示Ｄ３が記憶部５に記憶される。第２の表示Ｄ３が記憶部５に記憶されて切替処理が完了した後、第２の表示Ｄ３の表示準備が開始され、表示準備が完了した後に第２の表示Ｄ３が表示部３に表示される。第２の表示Ｄ３から第１の表示Ｄ２への切替処理では、上述の処理の逆の処理が行なわれる。後に表示される表示を作成するために、前に表示された表示を修正元データとして使用することで、修正元データとしてデフォルト表示などの別の表示を記憶部５に記憶させておく必要がないので、記憶部５の記憶容量を小さくすることができる。ただし、表示の切替処理では、本実施形態に限定されることはなく、所定のデフォルト表示が用いられてもよいし、第１および第２の表示Ｄ２、Ｄ３の両方が記憶部５に記憶されてもよい。
【００３６】
制御部４は、上述したように第１の情報および第２の情報をそれぞれ含む第１の表示Ｄ２および第２の表示Ｄ３が表示部３に切り替えられて表示されている場合において、画像データ作成指示を受け付けると、記憶部５から第１の情報および第２の情報を読み取り、第１の情報および第２の情報を含む画像データを作成するように構成される。つまり、表示部３において、第１および第２の表示Ｄ２、Ｄ３のいずれか一方のみが表示されている場合や、第１および第２の表示Ｄ２、Ｄ３が切り替えられる途中で何も表示されていない場合であっても、制御部４に対して画像データ作成指示を行なうことで、画像データ作成指示を行なった時点で表示されていない情報も含む画像データを取得することができる。作成された画像データは、ガス検知器１内の記憶部５や、ガス検知器１外の記憶装置に保存することができ、画像データに含まれる情報は、あとで確認することができる。
【００３７】
画像データを作成する方法は、特に限定されることはなく、画像データ作成指示を受け付けるタイミングに応じて適宜変更することができる。たとえば、制御部４は、第１の表示Ｄ２および第２の表示Ｄ３のいずれかが表示部３に表示されている際に画像データ作成指示を受け付けると、画像データ作成指示を受け付けた際に表示部３に表示されている表示（表示内容）を記憶部５から読出し、記憶部５から読み取った第１の情報および第２の情報を用いて表示部３に表示されている表示内容を修正することにより、画像データを作成するように構成されてもよい。画像データ作成指示を受け付けた時点で表示されている表示を修正元データとして使用することにより、修正元データとしてデフォルト表示などの別の表示を記憶部５に記憶させておく必要がないので、記憶部５の記憶容量を小さくすることができる。なお、上述した「第１の表示Ｄ２および第２の表示Ｄ３のいずれかが表示部３に表示されている際」には、第１および第２の表示Ｄ２、Ｄ３のいずれかが表示部３に実際に表示されている表示期間だけでなく、第１および第２の表示Ｄ２、Ｄ３のいずれかが作成されて記憶部５に記憶された直後の表示準備開始から、実際に表示されるまでの表示準備期間も含まれる。
【００３８】
また、制御部４は、第１の表示Ｄ２または第２の表示Ｄ３のいずれか一方から、他方の表示への切替処理の間に画像データ作成指示を受け付けると、他方の表示の表示準備開始後に、他方の表示を、記憶部５から読み取った第１の情報および第２の情報を用いて修正することにより、画像データを作成するように構成されていてもよい。この場合もまた、表示の切替処理後に表示される表示が作成されるのを待って、作成された表示を修正元データとして使用することにより、修正元データとしてデフォルト表示などの別の表示を記憶部５に記憶させておく必要がないので、記憶部５の記憶容量を小さくすることができる。なお、上述した「切替処理の間」とは、第１および第２の表示Ｄ２、Ｄ３のいずれか一方の表示期間の完了後から、第１および第２の表示Ｄ２、Ｄ３の他方の表示準備開始までの期間のことをいう。また、「表示準備開始後」とは、第１および第２の表示Ｄ２、Ｄ３の他方が作成されて記憶部５に記憶された直後で、作成された表示の表示準備が開始された後のことをいう。
【００３９】
第１の情報および第２の情報を含む画像データとしては、第１の情報および第２の情報を含んでいればよく、その形態は特に限定されることはない。第１の情報および第２の情報を含む画像データは、図８（ａ）、（ｂ）に示される第１および第２の表示Ｄ２、Ｄ３と同じように、第１の情報を含む画像データと、第１の情報を含む画像データとは異なる第２の情報を含む画像データとを備えていてもよい。第１および第２の情報を含む画像データが、第１の情報を含む画像と、第２の情報を含む画像とを別々に備えることで、それぞれの情報をより確実に識別することができる。また、第１の情報および第２の情報を含む画像データは、図１０に示されるように、第１の情報および第２の情報の両方を含む単一の画像データＩ３を備えていてもよい。第１および第２の情報を含む画像データが、第１および第２の情報の両方を含む単一の画像データＩ３を備えることで、２つの情報をまとめて１つの画像内で確認することができ、２つの情報を互いに比較しやすい。
【００４０】
以上において、２つの情報をそれぞれ含む２つの表示が切り替えられて表示される場合について説明したが、３つ以上の情報をそれぞれ含む３つ以上の表示が切り替えられて表示される場合においても、上述した方法と同様の方法で、画像データを作成し、保存することができる。
【符号の説明】
【００４１】
１  ガス検知器
２  検知部
２１  第１のガス検知素子
２２  第２のガス検知素子
３  表示部
３１  濃度情報表示領域
３２  種類情報表示領域
４  制御部
５  記憶部
６  入力部
６ａ  画像データ作成ボタン
６ｂ  メニュー呼び出しボタン
６ｃ  確定ボタン
６ｄ  メニュー選択ボタン
Ｄ１  全体表示
Ｄ１１  濃度情報表示領域内の表示
Ｄ１２  種類情報表示領域内の表示
Ｄ２  第１の表示
Ｄ３  第２の表示
Ｉ１、Ｉ２、Ｉ３  画像データ
Ｌ  ガス導管
Ｐ  吸引ポンプ
Ｓ  電源スイッチ
【図１】
2020165890.tif 000003
【図２】
2020165890.tif 000004
【図３】
2020165890.tif 000005
【図４】
2020165890.tif 000006
【図５】
2020165890.tif 000007
【図６】
2020165890.tif 000008
【図７】
2020165890.tif 000009
【図８】
2020165890.tif 000010
【図９】
2020165890.tif 000011
【図１０】
2020165890.tif 000012